(57)【要約】【課題】  伸縮機能をもたせることによりその長さを調整することができるとともに、長さの変化に応じて２つの部材を締め付けることができる機能を備え、シンプルな構造で見栄えがよく、容易に製造することができるアジャスタを提供することを目的とする。【解決手段】  アルミニウム管１１と螺子棒１２とから構成されるアジャスタ１０であって、アルミニウム管１１は、少なくとも一方端部が、大径部の内径よりも小さく加工され、かつ螺子棒１２と螺合するため螺子切りされてなるアジャスタ。【選択図】  図１
2005214264.tif 000002
【特許請求の範囲】
【請求項１】
アルミニウム管と螺子棒とから構成されるアジャスタであって、
前記アルミニウム管は、少なくとも一方端部が、中央部の内径よりも小さな内径に加工され、かつ前記螺子棒と螺合するため螺子切りされてなることを特徴とするアジャスタ。
【請求項２】
アルミニウム管は、断面が円形の管である請求項１に記載のアジャスタ。
【請求項３】
アルミニウム管が、軸方向の一部において断面が非円形となる非円形部を有してなる請求項１又は２に記載のアジャスタ。
【請求項４】
アルミニウム管の非円形部は、断面が四角形である請求項３に記載のアジャスタ。
【請求項５】
アルミニウム管の非円形部がピンチ加工により形成されてなる請求項３に記載のアジャスタ。
【請求項６】
アルミニウム管の小径部が、スエージング加工又はピンチ加工により形成されてなる請求項１〜５のいずれか１つに記載のアジャスタ。
【請求項７】
アルミニウム管と、螺子棒とから構成され、一対の支持部材間を連結するように配設される支持用アジャスタであって、
前記アルミニウム管は、少なくとも一方端部が、中央部の内径よりも小さな内径に加工され、かつ前記螺子棒と螺合するため螺子切りされ、前記螺子棒の螺合によりアジャスタ長を調整し得るように固定されてなることを特徴とする支持用アジャスタ。
【発明の詳細な説明】
【技術分野】
【０００１】
本発明は、アジャスタに関し、より詳細には、螺子機構を備え、その長さ及び挟持による締結力を調整し得るアジャスタに関する。
【背景技術】
【０００２】
従来から、エアコン等の室外機を屋外に設置する際に日除けや防雪のために、その上方に防護屋根が取り付けられていた。
この種の防護屋根３０は、例えば、図５に示すように、屋根として機能する天板３１と、それを支持するための支持部材３２と、これら天板３１及び支持部材３２を室外機の屋根に固定するための固定部材３３とから構成されている。
【０００３】
このような防護屋根３０は、その種類によって、例えば、豪雪地帯において用いられ、防雪のみならず、屋根に垂れ下がった氷柱の落下から室外機を防護する機能を果たす。また、台風や強風が発生しやすい地域において用いられることもある。したがって、室外機の上方に、強固に固定されることが必要となる。
【０００４】
そこで、図５に示すように、支持部材３２間に補強ボルト３４を渡して、この補強ボルト３４をナットにより固定するとともに、補強ボルト３４とナットによる長さ調整機能により支持部材３２間を締め付けて、室外機に強固に固定する方法が採用されている（例えば、非特許文献１参照）。
【０００５】
しかし、このような補強ボルト３４では、種々のメーカー等の室外機に対する取り付けを可能にするため、その長さに余裕をもたせている。したがって、小さな室外機の上にこのような防護屋根３０を取り付ける場合には、補強ボルト３４が飛び出し、取り付け作業時や、その後に室外機近傍を通行する際に、顔面や手に対する危険がある。また、美観が損なわれる。
【非特許文献１】防雪屋根（ＫＩＳ７２Ａ，ＫＫＣ７１２Ａ１）取付説明書（ダイキン工業株式会社）
【発明の開示】
【発明が解決しようとする課題】
【０００６】
本発明は、上記課題に鑑みなされたものであり、伸縮機能をもたせることによりその長さを調整することができるとともに、長さの変化に応じて２つの部材を締め付けることができる機能を備え、シンプルな構造で美観を向上し、容易に製造することができるアジャスタを提供することを目的とする。
【課題を解決するための手段】
【０００７】
本発明のアジャスタは、アルミニウム管と螺子棒とから構成されるアジャスタであって、
前記アルミニウム管は、少なくとも一方端部が、中央部の内径よりも小さな内径に加工され、かつ前記螺子棒と螺合するため螺子切りされてなることを特徴とする。
また、アルミニウム管は、断面を円形の管とすることができる。
さらに、アルミニウム管は、軸方向の一部において断面が非円形となる非円形部を有していてもよい。
【０００８】
アルミニウム管の非円形部は、断面が四角形とすることができる。
アルミニウム管の非円形部は、ピンチ加工により形成することができる。
アルミニウム管の小径部は、スエージング加工又はピンチ加工により形成することができる。
【０００９】
また、本発明の支持用アジャスタは、アルミニウム管と、螺子棒とから構成され、一対の支持部材間を連結するように配設される支持用アジャスタであって、前記アルミニウム管は、少なくとも一方端部が、中央部の内径よりも小さな内径に加工され、かつ前記螺子棒と螺合するため螺子切りされ、前記螺子棒の螺合によりアジャスタ長を調整し得るように固定されてなることを特徴とする。
【発明の効果】
【００１０】
本発明のアジャスタによれば、一端部の内径が中央部の内径よりも小さく加工され、かつその端部が螺子きりされたアルミニウム管を用いることにより、螺子棒の長さを長めに設定して、どのような長さにも対応することができる程のアジャスタ機能を有しながら、長さ調整された状態においては、長めの螺子棒をアルミニウム管内に収めることができる。したがって、ジャストサイズとすることができ、螺子棒の飛び出しによる危険を防止することができるとともに、美観をも向上させることができる。
【００１１】
また、アルミニウム管は、断面が円形の管である場合には、製造が容易で安価なアジャスタを提供することができる。
さらに、アルミニウム管が、軸方向の一部において断面が非円形となる非円形部を有してなる場合には、例えば、非円形部を被取付部材、例えば、エアコンの室外機や、それに固定される支持部材等に当接させることによりアジャスタの回転や移動を防止することができ、作業性が向上する。また、軸方向の大径部分において非円形部が形成されている場合には、螺子機能を有するアジャスタを回転させるための把持部とすることができるために、より作業性を向上させることができる。
【００１２】
アルミニウム管の非円形部は、断面が四角形である場合には、上述した被取付部材への当接による回転等をより安定して防止することができる。
アルミニウム管の非円形部がピンチ加工により形成されてなる場合、あるいはアルミニウム管の小径部が、スエージング加工又はピンチ加工により形成されてなる場合には、製造が容易で、より安価なアジャスタを提供することができる。
【００１３】
また、本発明の支持用アジャスタは、アルミニウム管と、螺子棒とから構成され、一対の支持部材間を連結するように配設される支持用アジャスタであって、アルミニウム管は、少なくとも一方端部が、中央部の内径よりも小さな内径に加工され、かつ前記螺子棒と螺合するため螺子切りされ、前記螺子棒の螺合によりアジャスタ長を調整し得るように固定されてなることにより、螺子棒の長さを長めに設定して、どのような長さにも対応することができる程のアジャスタ機能を有しながら、長さ調整された状態においては、長めの螺子棒をアルミニウム管内に収めることができる。したがって、ジャストサイズとすることができ、螺子棒の飛び出しによる危険を防止することができるとともに、美観をも向上させることができる。さらに、容易に支持部材を締め付けることができる。
【発明を実施するための最良の形態】
【００１４】
本発明のアジャスタの実施例を図面に基づいて詳細に説明する。
【００１５】
実施例１
この実施例のアジャスタ１０について、図１〜図３に基づいて説明する。
アジャスタ１０は、図１の平面図に示したように、アルミニウム管１１と螺子棒１２とから構成される。
アルミニウム管１１は、基本的に断面形状が円環形状であり、例えば、その全長が５００〜１５００ｍｍ程度に設定されている。アルミニウム管１１の両端部の内側は、螺子棒１２と螺合するために、一定距離、例えば、端部から１０ｍｍ程度まで、螺子切りされた小径部１３が形成されている。小径部１３の内径は、例えば、４．５ｍｍ程度である。
【００１６】
また、小径部１３から中央に向かうにつれて若干内径が大きくなるテーパー部１４を、例えば、５ｍｍ程度有している。テーパー部１４では、内径が、例えば、１．５ｍｍ程度大きくなる。
さらに、テーパー部１４から中央に向かって、内径が一定の中径部１５が形成されている。中径部１５の長さは、例えば、２５ｍｍ程度である。
【００１７】
また、中径部１５の端部から中央に向かう一定距離、例えば、５ｍｍ程度、若干内径が大きくなる第２テーパー部１６が形成されており、内径が一定の大径部１７にそれぞれつながっている。第２テーパー部１６では、内径が、例えば、２ｍｍ程度大きくなる。
なお、中径部１５は、非円形部として加工されており、外形の断面形状は略四角形に加工されている。ただし、中径部の内側は、円形であってもよいし、四角形であってもよい。
このように軸方向の一部において、断面形状が円形とは異なり、非円形部分、つまり平面部分を有していることにより、その適用時において、平面部分を利用して、アジャスタが転がり、適用箇所から容易にずれたり、移動したりすることを防止することができる。
【００１８】
また、螺子棒１２は、アルミニウム管１１の小径部１３の螺子溝に螺合し、アルミニウム管１１内部に挿入することができるような太さ及び螺子山を有している。螺子棒１２の一端部においては、螺子棒１２の全てがアルミニウム管１１の内部に挿入されないように、螺子頭１２ａを有している。
このような構成により、螺子棒１２の少なくとも一部がアルミニウム管１１内で、螺合により進退し、その長さを調整することができる。
【００１９】
この実施例におけるアルミニウム管１１は、アルミニウムの押し出し成型により、以下のように製造される。
まず、塊状のアルミニウムを押し出し成型機に投入し、アルミニウムを軟化させながら、アルミニウム管１１の断面形状に対応する形状の口金を通して押し出し、所定の長さに切断する。
次いで、中径部１５となる箇所を工具により挟み込み、引っ張りながらスエージング加工することにより、中径部１５と第２テーパー部１６とを形成する。その後、中径部１５には、ピンチ加工により、断面形状の外形が略四角形となるように加工する。
さらに、小径部１３となる箇所を工具により挟み込み、引っ張りながらスエージング加工することにより、小径部１３とテーパー部１４とを形成する。
【００２０】
その後、小径部１３の内側にねじ切り加工を施し、アルミニウム管１１を得ることができる。
このように、アルミニウムの押し出し成型によりアルミニウム管１１を形成する場合には、複雑な加工をすることなく、アルミニウム管１１を簡便な方法で製造することができるとともに、スエージング加工により、簡便に所定の形状に加工することができる。
【００２１】
この実施例のアジャスタ１０は、例えば、図５に示したような従来の防護屋根の補強ボルト３４の代替として用いることができる。
例えば、図２の側面図及び図３の正面図に示したように、エアコンの室外機２５の上に取り付けられる防護屋根２０に適用される。なお、防護屋根２０は、主として、屋根板２１と、屋根板２１を支持する腕部２２及び脚部２３からなる一対の支持部２４とから構成される。
【００２２】
つまり、室外機２５の両側を、支持部２４の脚部２３が挟み込み、必要に応じて脚部２３と室外機２５とをビス止めする。そして、室外機２５の上方であって、支持部２４の腕部２２の付け根部分に、アジャスタ１０の中径部１５を当接するように配置する。支持部２４には、アジャスタを固定するための孔が形成されている。その孔にボルト２６の胴体を外側から挿入し、ボルト２６の胴体を、アジャスタ１０の端部の小径部１３に螺合させることにより、アジャスタ１０を支持部２４に固定する。
【００２３】
さらに、アジャスタ１０の他端側において、螺子棒１２を、支持部２４に形成された孔に外側から挿入し、螺子棒１２をアジャスタ１０の端部のねじ切り部１３に螺合させる。そして、アルミニウム管１１内に、螺子棒１２を進退させ、その長さを調整して、アジャスタ１０が防護屋根２０の支持部２４間を締め上げる。
このように、例えば、２つの支持部材２４間を連結するように、アジャスタ１０を取り付け、その長さを調整することにより、支持部材２４をより強固に固定することができる。しかも、支持部材２４間の距離にかかわらず、アジャスタ１０を構成する螺子棒１２の長さを長めに設定したとしても、アジャスタ１０を使用した場合に、その長さに応じて、螺子棒１２をアルミニウム管１１内に収容することができる。よって、従来のように、補強ボルトが飛び出すことを防止することができ、取り付け作業時や、その後に室外機近傍を通行する際に、顔面や手に対する危険を防止することが可能となる。また、美観を向上させることもできる。
【００２４】
実施例２
この実施例のアジャスタ１８を図４に基づいて説明する。
このアジャスタ１８は、アルミニウム管１１の大径部１９の中央付近に、ピンチ加工によって非円形部１９ａがさらに形成されている以外、実施例１のアジャスタと同様である。
このように中央付近にピンチ加工により非円形部１９ａが形成されていることにより、両側から螺子を回して固定する作業を、ピンチ加工による非円形部１９ａを回転させる作業に置き換えることができ、ドライバなどの道具を使用することなく、手で、簡便にアジャスタ機能を発揮させることができる。
【００２５】
変形例
（１）本発明のアジャスタは、少なくとも一方の端部に、一箇所のみ、内径が大径部よりも小さく加工されていればよく、かならずしも両側において、内径が大径部よりも小さく加工されていなくてもよい。
【００２６】
（２）アルミニウム管の太さ及び長さ、小径部、テーパー部、中径部、第２テーパー部、大径部の長さ、螺子棒の長さ等は任意に設定することができる。また、テーパー部、中径部、第２テーパー部、大径部の内側の断面形状は、円形、三角形等の多角形であってもよく、外側の断面形状も円形、三角形等の多角形であってもよい。
【００２７】
（３）非円形部の断面形状（外側）は、半円、楕円、三角形等の多角形等、どのような形状であってもよい。
【産業上の利用可能性】
【００２８】
本発明のアジャスタは、部材間に配設することにより、主として長さを調整しながら、付加的に、締め上げ、固定、挟持しえるものであり、このような用途の全てに、幅広い分野で利用することができる。
【図面の簡単な説明】
【００２９】
【図１】本発明のアジャスタの実施例１における全体構成を示す正面図である。
【図２】実施例１のアジャスタを防護屋根に適用した場合の全体構成を示す側面図である。
【図３】図２に示した防護屋根の脚部周りの正面図である。
【図４】本発明のアジャスタの実施例２における全体構成を示す正面図（ａ）及びA-A線断面図（ｂ）である。
【図５】従来の防護屋根における補強ボルトを説明するための斜視図である。
【符号の説明】
【００３０】
１０  アジャスタ
１１  アルミニウム管
１２  螺子棒
１２ａ  螺子頭
１３  小径部
１４  テーパー部
１５  中径部
１６  第２テーパー部
１７、１９  大径部
１９ａ  非円形部
２０  防護屋根
２１  屋根板
２２  腕部
２３  脚部
２４  支持部
２５  室外機
２６  ボルト
【図１】
2005214264.tif 000003
【図２】
2005214264.tif 000004
【図３】
2005214264.tif 000005
【図４】
2005214264.tif 000006
【図５】
2005214264.tif 000007